(57)【要約】　　　（修正有）【課題】仮設足場の横架材に縦列的にフック掛けした床付き布枠同士の隙間を塞いで作業の安全を図ることができる仮設足場用カバーを提供すること。【解決手段】床付き布枠同士の隙間Ｓを塞ぐカバー部２に、このカバー部を前記足場の横架材に脱着自在に係合する係合部３とを、含み仮設足場用カバーであって、該係合部が横架材に対する抜け止め手段を備えている。【選択図】　　図３
2004084261.tif 000002
【特許請求の範囲】
【請求項１】
足場の横架材にフック掛けした床付き布枠同士の隙間を塞ぐカバー部と、
このカバー部を前記足場の横架材に着脱自在に係合する係合部と、
を含む仮設足場用カバー。
【請求項２】
前記カバー部の下面が床付き布枠の上面に当接する請求項１記載の仮設足場用カバー。
【請求項３】
前記係合部が、足場の横架材に対する抜け止め手段を備えている請求項１又は請求項２に記載の仮設足場用カバー。
【請求項４】
前記係合部が、足場の横架材を弾性的に把持する弾性材で構成されている請求項１ないし請求項３の何れかに記載の仮設足場用カバー。
【発明の詳細な説明】
【０００１】
【発明の属する技術分野】
本発明は、仮設足場用カバー、より詳しくは、仮設足場の横架材にフック掛けした床付き布枠同士の隙間を塞いで作業の安全を図ることのできる仮設足場用カバーに関するものである。
【０００２】
【従来の技術】
従来の枠組足場においては、図９に示すように、固定ベースＡ、筋違Ｂ等を使用して建枠Ｆを組み立て、その建枠Ｆの横架材Ｇに、必要に応じて床付き布枠Ｐを縦列状態に配設して作業者の通路としている。しかしながら、従来の床付き布枠Ｐは、その両端のフックＨを建枠Ｆの横架材Ｇに単に引っ掛けて配設しているので、床付き布枠Ｐ同士の間に隙間Ｓが生じることになり、この隙間Ｓから誤って作業道具や資材を落下させてしまう恐れがあり、また、この隙間Ｓで作業者が床付き布枠Ｐを踏み外したり躓いたりする恐れがあり、より安全性を向上させることが望まれていた。
【０００３】
【発明が解決しようとする課題】
本発明は、従来の仮設足場に上記のような問題があったことに鑑みて為されたもので、足場の横架材にフック掛けした床付き布枠同士の隙間を塞いで作業の安全を図ることができる仮設足場用カバーを提供することにある。
【０００４】
【課題を解決するための手段】
本発明は、足場の横架材にフック掛けした床付き布枠同士の隙間を塞ぐカバー部と、このカバー部を前記足場の横架材に着脱自在に係合する係合部とを含むことを特徴とする。
【０００５】
さらに本発明は、前記カバー部の下面が床付き布枠の上面に当接することを特徴とする。
【０００６】
さらに本発明は、前記係合部が、足場の横架材に対する抜け止め手段を備えていることを特徴とする。
【０００７】
さらに本発明は、前記係合部が、足場の横架材を弾性的に把持する弾性材で構成されていることを特徴とする。
【０００８】
【発明の実施の形態】
以下、本発明に係る仮設足場用カバーの実施形態について、図１〜図４を参照しながら説明する。
【０００９】
本実施形態の仮設足場用カバー１は、図１及び図２に示すように、床付き布枠同士の隙間を覆うためのカバー部２と、このカバー部２の下面に設けられ、建枠の横架材に着脱自在に係合する一又は複数の係合部３とから構成されている。
【００１０】
カバー部２は、合成樹脂板材や鋼板にて略長方形板状に形成されている。このカバー部２の短辺の長さは、同じ建枠の横架材にフック掛けして縦列配設した隣り合う床付き布枠同士の間隔よりも大きく形成されている。カバー部２の長辺の長さは、床付き布枠の幅と略同じに形成されている。そして、このカバー部２の上面２０は踏面となっており、滑り防止のための多数の凹凸が形成されている。
【００１１】
一方、係合部３は、略Ｃ字状に曲げ加工された弾性金属板材から成り、互いに対向する一対の湾曲係合片３１を下方に持ち出して構成されている。そして、建枠の横架材に対する抜け止め手段として、これら一対の係合片３１はその先端部３２側が中程部より幅狭に形成されている。このことで、係合部３は一対の湾曲係合片３１で建枠の横架材を弾性的に把持することが可能となり、横架材から簡単に抜けないようになっている。この係合部３がその基端部３０においてカバー部２の下面に下向きにねじ固定されて仮設足場用カバー１が構成されている。
【００１２】
なお、本実施形態では、図２に示すように、カバー部２の長辺方向の両端付近に一対の係合部３を配設しているが、カバー部２の中央にのみ係合部３を設けるなど、係合部３の配設位置、配設個数等は種々の設計変更が可能である。
【００１３】
しかして、本実施形態の仮設足場用カバー１は、図３に示すように、建枠Ｆの横架材ＧにフックＨを引っ掛けて二つの床付き布枠Ｐを縦列状態に配設した後、建枠Ｆの横架材Ｇに対して上方から係合部３を係合させれば、図４に示すように係合部３の一対の湾曲係合片３１が横架材Ｇを弾性的に把持し、カバー部２の長辺部の下面がそれぞれ、床付き布枠Ｐの上面に当接した状態で床付き布枠Ｐ同士の隙間Ｓを被覆するのである。
【００１４】
このように、本実施形態の仮設足場用カバー１は、隣り合う床付き布枠Ｐ同士の間隔より大きく形成したカバー部２の下面に、建枠Ｆの横架材Ｇに係合する係合部３を設けているので、この係合部３を建枠Ｆの横架材Ｇに係合させるという至って簡単な作業だけで、床付き布枠Ｐ同士の隙間Ｓを塞ぐことができ、この隙間Ｓから作業道具や資材等を落下させてしまう恐れもなく、また、この隙間Ｓで作業者が床付き布枠Ｐを踏み外したり、躓いたりすることもなく作業の安全性をより向上させることができる。
【００１５】
また、本実施形態では、カバー部２の短辺を、隣り合う床付き布枠Ｐ同士の間隔より大きく形成し、カバー装着時に、カバー部２の長辺部の下面を床付き布枠Ｐの上面に当接させているので、荷重によってカバー部２が凹むのを防止できると同時に、係合部３への荷重を低減させることができ、仮設足場用カバー１の強度を向上させることができる。
【００１６】
しかも、本実施形態では、係合部３が横架材Ｇに対する抜け止め手段を備えているので、仮設足場用カバー１を建枠Ｆの横架材Ｇに確実かつ安定的に装着することができるのは勿論のこと、カバー部２の下面が床付き布枠Ｐの上面に当接するので、床付き布枠Ｐ自体を押え保持する役目も果たす。したがって、例えば、作業者の歩行による床付き布枠Ｐの振動やばたつきも抑制することができ、この点においても作業の安全性を向上させることができる。
【００１７】
更にまた、本実施形態では、係合部３が略Ｃ字形状の弾性金属板材にて構成され、その先端部３２側が中程部より幅狭に形成されているので、極めて簡素な構造で抜け止め手段を備えた係合部を実現することができ、頗る安価な仮設足場用カバー１を市場に提供することができる。
【００１８】
以上、本発明に係る仮設足場用カバーの実施形態を説明したが、本発明は上述の実施形態に限定されるものではなく、種々の設計変更が可能である。
【００１９】
例えば、上述の実施形態では、カバー部２の短辺を隣り合う床付き布枠同士の間隔より長く形成し、カバー装着時にカバー部２の下面を床付き布枠の上面に当接させて床付き布枠同士の隙間を被覆するようにしているが、カバー部で隙間を実質的に塞ぐことができれば足りるのであり、例えば、図５に示すように、カバー部２の短辺を床付き布枠同士の間隔と略同じ長さにして床付き布枠の隙間に仮設足場用カバーを嵌め込むようにしても良い。このとき、図５に示すようにカバー装着時に、カバー上面２０が床付き布枠Ｐの上面と面一になるようにカバー部２を形成することも可能である。また、カバー部２の長辺を床付き布枠Ｐの幅の略二倍の長さとし、建枠の横架材に並列的に配設した二枚の床付き布枠の隙間を同時に塞ぐようにしても良い。
【００２０】
また、上述の実施形態では、一対の湾曲係合片３１を持ち出して抜け止め手段を備えた係合部３を構成しているが、例えば、図６に示すように、先端側が基端部よりも幅狭に傾斜した一対の直線状係合片３３によって抜け止め手段を備えた係合部３を構成しても良い。この場合、一対の傾斜直線状の係合片３３によってカバー部２は常時、下方へ付勢されることになるので、カバーの装着安定性を向上させることが可能となる。
【００２１】
更にまた、図７に示すように、先端側の屈曲片３５により側方に挿入開口部が形成された係合片３４によって係合部３を構成しても良い。この場合、カバーを装着するときには、係合部３の係合片３４を建枠の横架材Ｇと床付き布枠Ｐとの間へ挿入した後、カバーを側方へスライドさせることにより係合部３を横架材Ｇに係合させる。
【００２２】
更にまた、係合部３の抜け止め手段としては、周知のねじ止め機構を採用しても勿論良く、例えば、図８に示すように、揺動自在にピン軸支された掴み片３６の揺動端部を、同じく揺動自在にピン軸支されたボルト片３７とナット３８とで固定する周知のねじ止め機構を採用しても良い。
【００２３】
なお、本発明に係る仮設足場用カバーは、必ずしも係合部３に抜け止め手段を設ける必要はなく、例えば、図５に示すように、建枠Ｆの横架材Ｇを受け入れ可能な凹部３９を係合部３に形成し、単にこの凹部３９に横架材Ｇを係合させるようにしても良い。
【００２４】
また、上述の実施形態では、足場の一種である枠組足場を構成する建枠Ｆの横架材Ｇに仮設足場用カバーを装着する例を説明しているが、本発明は勿論これに限定されるものではなく、例えば、単管足場における横架材である腕木、張出足場における横架材である張出材、ブラケット一側足場のブラケットの横架材、移動式足場の横架材、吊り枠足場の横架材である桁材など、各種の足場の横架材に装着してこれら横架材にフック掛けした床付き布枠同士の隙間を塞いで作業の安全性を向上させることができる。
【００２５】
【発明の効果】
本発明に係る仮設足場用カバーは、足場の横架材にフック掛けした床付き布枠同士の隙間を塞ぐカバー部を備え、このカバー部に、足場の横架材に着脱自在に係合する係合部を設けているので、この係合部を横架材に係合させるという至って簡単な作業だけで、床付き布枠同士の隙間を塞ぐことができ、この隙間から作業道具や資材を落下させてしまう恐れもなく、また、この隙間で作業者が床付き布枠を踏み外したり、躓いたりすることもなく作業の安全性をより向上させることができる。
【００２６】
また、カバー装着時にカバー部の下面を床付き布枠の上面に当接させるようにすれば、荷重によってカバー部が凹むのを防止できると同時に、係合部への荷重を低減させることができ、仮設足場用カバーの強度を向上させることができる。
【００２７】
更にまた、係合部に足場の横架材に対する抜け止め手段を設ければ、仮設足場用カバーを横架材に確実かつ安定的に装着することができるのは勿論のこと、さらにカバー部の下面を床付き布枠の上面に当接させれば、仮設足場用カバーで床付き布枠を押え保持する役目も果たすことになり、例えば、作業者の歩行による床付き布枠の振動やばたつきも抑制することができる。
【００２８】
更にまた、係合部を、足場の横架材を弾性的に把持する弾性材で構成すれば、極めて簡素な構造で抜け止め機能を備えた係合部を実現することができ、頗る安価な仮設足場用カバーを市場に提供することができる。
【図面の簡単な説明】
【図１】本発明の仮設足場用カバーの実施形態の側面図である。
【図２】本発明の仮設足場用カバーの実施形態の平面図である。
【図３】本発明の仮設足場用カバーの使用方法を説明する側面図である。
【図４】本発明の仮設足場用カバーの使用方法を説明する側面図である。
【図５】本発明の仮設足場用カバーの実施変形例の側面図である。
【図６】本発明の仮設足場用カバーの他の実施変形例の側面図である。
【図７】本発明の仮設足場用カバーの更に他の実施変形例の側面図である。
【図８】本発明の仮設足場用カバーの更に他の実施変形例の側面図である。
【図９】従来の仮設足場を示す斜視図である。
【符号の説明】
Ｆ　　建枠
Ｇ　　建枠の横架材
Ｐ　　床付き布枠
Ｈ　　床付き布枠のフック
Ｓ　　隙間
１　　仮設足場用カバー
２　　カバー部
２０　　上面
３　　係合部
３０　　基端部
３１・３３・３４　係合片
３２　　係合片の先端部
３５　　屈曲片
３６　　掴み片
３７　　ボルト片
３８　　ナット
３９　　凹部
【図１】
2004084261.tif 000003
【図２】
2004084261.tif 000004
【図３】
2004084261.tif 000005
【図４】
2004084261.tif 000006
【図５】
2004084261.tif 000007
【図６】
2004084261.tif 000008
【図７】
2004084261.tif 000009
【図８】
2004084261.tif 000010
【図９】
2004084261.tif 000011